(57)【特許請求の範囲】
【請求項１】
赤道と北回帰線と南回帰線と緯線と経線と世界地図を表わす地表図を表示して地軸を表す棒軸を備える地球儀を前記地軸を表す棒軸を介して回転自在に同心配置し、かつ、外周部に前記赤道の赤道面と傾斜角２３．４度で交わり、前記赤道の赤道面と中心を同じくし、水平面と一致する地球の公転軌道を表す円を表示する透明な中空の球体から成る本体部と前記本体部を前記公転軌道の公転軌道面の中心を通る鉛直線方向に、前記地球儀の表面を２等分して昼夜を区分して表示する昼夜区分環を介して垂直、かつ、回転自在に支持する支持台から成る四季の変化のメカニズムを説明する地球儀。
【請求項２】
地球儀に代えて、赤道と北回帰線と南回帰線と緯線と経線を表示して地軸を表す棒軸を備える地球を表す球体を使用する請求項１の四季の変化のメカニズムを説明する説明器
【発明の詳細な説明】
【技術分野】
【０００１】本考案は地球の四季の変化のメカニズムを説明する地球儀に関するものである。
【背景技術】
【０００２】太陽を公転する地球の、地軸の傾きに起因する四季を通じての太陽の高度の変化と昼夜の長さの変化及び地球の自転による太陽の南中と日の出、日の入り等の諸現象について、従来、三球儀を使用して説明する方法が行われている。
しかし、この方法では、概略的な説明に止まり不十分である。また、この欠点を補うため多くのすぐれた方法が提案されているが未だ十分とは言えない。
【先行技術文献】
【特許文献】
【０００３】
【特許文献１】特開−２００１−１１７４８５
【特許文献２】特開−２００２−０７２８６６
【特許文献３】実公平０６−０４８５３５
【発明の概要】
【発明が解決しようとする課題】
【０００４】四季の変化のメカニズムを説明するためには、地球の公転における地軸の傾きに起因する四季を通じての太陽高度の変化を基本として昼夜の長さの変化及び地球の自転による太陽の南中と日の出、日の入り等の諸現象について統一的に関連付けて説明する必要がある。本考案は地球儀の地球の自転運動を再現する機能に地球の公転運動を再現する機能を付加することによりこの課題を解決できる説明器を提供するものである。
【課題を解決するための手段】
【０００５】請求項１による課題を解決するための第一の手段は、
赤道と北回帰線と南回帰線と緯線と経線と世界地図を表わす地表図を表示して地軸を表す棒軸を備える地球儀を前記地軸を表す棒軸を介して回転自在に同心配置し、かつ、外周部に前記赤道の赤道面と傾斜角２３．４度で交わり、前記赤道の赤道面と中心を同じくし、水平面と一致する地球の公転軌道を表す円を表示する透明な中空の球体から成る本体部と前記本体部を前記公転軌道の公転軌道面の中心を通る鉛直線方向に、前記地球儀の表面を２等分して昼夜を区分して表示する昼夜区分環を介して垂直、かつ、回転自在に支持する支持台から成る四季の変化のメカニズムを説明する地球儀である。
（作用）本説明器において、観察者が説明器の本体部を正面から、すなわち太陽の視点から見ると、本体部の中心において公転軌道と任意の緯線が交わるのを見ることができる。この場合、この説明器の本体部の公転軌道と前記の緯線の交点は太陽の視点から見た場合の地球の表面の中心を示すものである。
なぜなら、本説明器の本体部に表示する公転軌道は、公転軌道面が地球儀の赤道面に対し傾斜角２３．４度で交わり、水平面と一致するため、太陽を公転する地球の公転面と一致し、太陽の視点から見た場合、地球の表面の中心を通り、  他方、地球が太陽を公転すると、地軸が２３．４度傾いているため、太陽の視点から見た場合、北緯２３．４度と南緯２３．４度の範囲内の緯線が、地球の表面の中心を通るため、本説明器の本体部に表示する公転軌道と地球儀の表面の中心で交わるからである。
このことにより、本説明器は本体部の公転軌道と前記緯線の交点が地球の表面の中心であることを示し、かつ、この交点が太陽の高度が９０度になる地点であることを示すものである。
次に、公転軌道と南緯２３．４度の南回帰線の交点を観察者が正面から見ると、当該交点が北半球の冬至点であり、交わる瞬間が冬至である。そして、北半球が四季の中の冬であることを示す。また、前記の交点が南半球の夏至点であり、交わる瞬間が夏至である。そして、南半球が四季の中の夏であることを示す。
この場合、冬至点と交わる南緯２３．４度の南回帰線において太陽高度が９０度になることを示す。
さらに、昼夜区分環を観察者に正対させて、すなわち太陽の方向に正対させて、本体部を真横から見ると昼夜区分環により地球の地表が昼の部分と夜の部分に区分され、北半球では他の季節と比較して夜の長さが最長となり、昼の長さが最短になるのを見ることができる。また、南半球では他の季節と比較して昼の長さが最長となり、夜の長さが最短になるのを見ることができる。
さらに、地球儀を自転させると公転軌道と南緯２３．４度の南回帰線の交点で子午線が交わるのを見ることができる。これが南中である。
この場合、同一子午線上の各地点でその日の内で太陽高度が最も高くなったことを示す。
また、この場合、同一子午線上では、太陽の高度が９０度になる地点を基準として緯度が高くなるに従って南中の太陽高度が低くなることが示される。
さらに、本体部を真上から見ながら地球を自転させると昼夜区分環により日の出、日の入りをみることができる。
次に、公転軌道と赤道の交点を観察者が正面から見ると、当該交点が北半球の春分点であり、交わる瞬間が春分である。そして、北半球が四季の中の春であることを示す。また、前記交点が南半球の秋分点であり、交わる瞬間が秋分である。そして、南半球が四季の中の秋であることを示す。
次に、公転軌道と北回帰線の交点を観察者が正面から見ると、当該交点が北半球の夏至点であり、交わる瞬間が夏至である。そして、北半球が四季の中の夏であることを示す。また、前記交点が南半球の冬至点であり、交わる瞬間が冬至である。そして、南半球が四季の中の冬であることを示す。
次に、公転軌道と赤道の交点を観察者が正面から見ると、当該交点が北半球の秋分点であり、交わる瞬間が秋分である。そして、北半球が四季の中の秋であることを示す。また、前記交点が南半球の春分点であり、交わる瞬間が春分である。そして、南半球が四季の中の春であることを示す。
次に、公転軌道と南回帰線の交点を観察者が正面から見ると、当該地点が北半球の冬至点であり、交わる瞬間が冬至である。そして、南半球の夏至点であり、交わる瞬間が夏至である。
次に、春分点、夏至点、秋分点において、上記の冬至点におけると同じ諸操作を行う。
次に、本説明器の本体部を観察者が正面から見ながら公転軌道を一回転させると、太陽から見た場合の地球の公転による見かけの地軸の「首振り運動」を見ることができる。
これにより、地球の季節の変化が北半球と南半球において逆になることを示すことができる。
以上により、本考案の課題を解決することができる。【０００６】請求項２による、課題を解決するための第二の手段は、
地球儀に代えて、赤道と北回帰線と南回帰線と緯線と経線を表示して地軸を表す棒軸を備える地球を表す球体を使用する請求項１の四季の変化のメカニズムを説明する説明器である。
（作用）
作用に関する説明は、請求項１による課題を解決するための第一の手段の説明と同じである。【０００７】請求項３による課題を解決するための第三の手段は、
赤道と北回帰線と南回帰線と緯線と経線と世界地図を表わす地表図を表示する地球儀と前記地球儀を支持する支持環と前記支持環に固定され、前記赤道の赤道面と傾斜角２３．４度で交わり、前記赤道の赤道面と中心を同じくし、水平面と一致する地球の公転軌道を表す環を備える本体部と前記本体部を前記公転軌道の公転軌道面の中心を通る鉛直線方向に前記支持環を介して回転自在に垂直に支持し、かつ前記地球儀の地表を２等分して昼夜を区分する昼夜区分環を備える支持台から成る四季の変化のメカニズムを説明する地球儀である。
（作用）
作用に関する説明は、請求項１による課題を解決するための第一の手段の説明と同じである。【０００８】請求項４による課題を解決するための第四の手段は、
赤道と北回帰線と南回帰線と緯線と経線と世界地図を表わす地表図を表示する地球儀と前記地球儀を支持する支持環と前記支持環に固定され、前記赤道の赤道面と傾斜角２３．４度で交わり、前記赤道の赤道面と中心を同じくし、水平面と一致する地球の公転軌道を表す環を備える本体部と前記本体部を前記地球儀の北極と南極を反転可能に支持する支持具を介して前記公転軌道の公転軌道面の中心を通る鉛直線方向に回転自在に垂直に支持し、前記地球儀の表面を２等分して昼夜を区分する昼夜区分環を備える支持台から成る四季の変化のメカニズムを説明する地球儀である。
（作用）
作用に関する説明は、請求項１による課題を解決するための第一の手段の説明と同じである。【０００９】請求項５による課題を解決するための第五の手段は、
赤道と北回帰線と南回帰線と緯線と経線を表示して地軸を表す棒軸を備える地球を表す球体の外周部に前記赤道の赤道面と傾斜角２３．４度で交わり、前記赤道の赤道面と中心を同じくし、水平面と一致する地球の公転軌道を表す円を表示して成る本体部と前記本部を前記公転軌道の公転軌道面の中心を通る鉛直線方向に支持軸を介して回転自在に垂直に支持し、かつ前記地球を表す球体の表面を２等分して昼夜を区分する昼夜区分環を備える支持台から成る四季の変化のメカニズムを説明する説明器である。
（作用）
作用については、請求項１による課題を解決するための第一の手段の説明と異なる事項について説明する。
本説明器において、北半球の冬至点における南中は、公転軌道と南緯２３．４度の南回帰線の交点で任意の子午線・経線が交わることにより示される。
また、北半球の春分点における南中は、公転軌道と赤道の交点で任意の子午線・経線が交わることにより示される。
また、北半球の夏至点における南中は、公転軌道と北緯２３．４度の北回帰線の交点で任意の子午線・経線が交わることにより示される。
また、北半球の秋分点における南中は、公転軌道と赤道の交点で任意の子午線・経線が交わることにより示される。
次に、本体部を真上から見ると昼夜区分環により地表が昼の部分と夜の部分に区分される。この場合、地球の自転により地表が夜の部分から昼の部分へ移るのが日の出であり、地表が昼の部分から夜の部分へ移るのが日の入りである。
【発明の効果】
【００１０】本考案は地球儀の外周部に地球の公転軌道を表示することにより、地球儀が有する地球の自転運動を再現する機能に地球の公転運動を再現する機能を付加して、地球の公転による太陽高度の変化、昼夜の長さの変化等の諸事象と地球の自転による南中、日の出、日の入り等の地球の自転による諸事象を関連付けて説明することができる。
また、本説明器の公転軌道は地球の公転面と一致するため、地球の公転による太陽高度が９０度になる地球の地表の地点を常に示すことができる。そして、太陽の視点から見た場合の四季を通じての冬至点、春分点、夏至点、秋分点等の地球の地表の太陽高度が９０度になる地点を示すことにより、太陽高度が９０度になる地点の変化と四季の変化のメカニズムを説明することができる。
また、地軸の傾きが２３．４度であるため、太陽高度が９０度になる地点が、北緯２３．４度の北回帰線と南緯２３．４度の南回帰線の範囲で変化することにより四季の変化が生じることを説明することができる。
そして、太陽高度の変化の範囲が４６．８度であることにより、自然現象としての四季の変化の範囲が決定されることを示すことができる。
また、太陽を公転する地球を太陽の視点から見た場合の見かけの地軸の傾きの変化と太陽高度の変化の関係を示すことができる。
また、太陽の視点から見た場合の四季を通じての地軸の見かけの「首振り運動」を示すことにより、北半球と南半球において四季の変化が逆になるメカニズムを説明することができる。
また、本考案は、地球が自転しないで太陽を公転する場合や、地球が一自転して太陽を公転する場合の昼夜の区分等について説明することができる。  また、本考案は構成が極めてシンプルなものでるため製作及び操作が極めて容易である。
【図面の簡単な説明】
【００１１】
【図１】請求項１の説明器の「北半球の冬至点」を表す立面図
【図２】請求項１の説明器の「北半球の春分点」を表す立面図
【図３】請求項１の説明器の「北半球の夏至点」を表す立面図
【図４】請求項１の説明器の「北半球の秋分点」を表す立面図
【図５】請求項２の説明器の「北半球の冬至点」を表す立面図
【図６】請求項２の説明器の「北半球の春分点」を表す立面図
【図７】請求項２の説明器の「北半球の夏至点」を表す立面図
【図８】請求項２の説明器の「北半球の秋分点」を表す立面図
【図９】請求項３の説明器の「北半球の冬至点」を表す立面図
【図１０】請求項３の説明器の「北半球の春分点」を表す立面図
【図１１】請求項３の説明器の「北半球の夏至点」を表す立面図
【図１２】請求項３の説明器の「北半球の秋分点」を表す立面図
【図１３】請求項４の説明器の「北半球の春分点」を表す立面図
【図１４】請求項５の説明器の「北半球の冬至点」を表す立面図
【図１５】請求項５の説明器の「北半球の春分点」を表す立面図
【図１６】請求項５の説明器の「北半球の夏至点」を表す立面図
【図１７】請求項５の説明器の「北半球の秋分点」を表す立面図
【発明を実施するための形態】
【００１２】  請求項１による本説明器の実施の形態について説明する。
これについては、［図１］、［図２］、［図３］、［図４］により説明する。
（構成と作成方法）請求項１による本説明器の構成と作成方法は以下のとおりである。
本説明器の地球儀８は赤道１と北回帰線２と南回帰線３と緯線４と経線５，６と世界地図７を表わす地表図を表示する既成の地球儀８を使用する。
そして、この地球儀８を、地軸を表す棒軸１５により透明な中空の球体１６の内部に回転自在に同心配置する。
そして、本体部１７の地球の公転軌道１０は透明な中空の球体１６の外周部に地球儀８の赤道１の赤道面
0005462383.tif 000002
そして、支持台１２が本体部１７を公転軌道１０の公転軌道面の中心を通る鉛直線方向に、地球儀８の表面を２等分して昼夜を区分して表示する昼夜区分環１１により回転自在に垂直に支持する。
この場合、地球儀８は既成の地球儀８に赤道１、北回帰線２、南回帰線３を強調して鮮明に表示する。
地軸を表す棒軸１５は地軸とその傾きを視覚化して示すために金属製の長ねじ等を使用してもよい。
公転軌道１０は、銅線等の金属線を中空の球体１６の外周部に取り付けて表示してもよい。
また、公転軌道１０に冬至点１８、春分点１９、夏至点２０、秋分点２１と月日の日付等を表示してもよい。
中空の球体１６は、塩ビ等の透明な中空の半球を合わせて作成する。
（作用）
本説明器の課題は地球の公転における地軸の傾きに起因する四季を通じての太陽高度の変化を基本として昼夜の長さの変化及び地球の自転による太陽の南中と日の出、日の入り等の諸現象について統一的に関連付けて説明することである。以下において、上記の課題について本説明器を使用して説明する。
Ｉ「冬至点」
これについては、［図１］により説明する。
本説明器の本体部１７の公転軌道１０と南緯２３．４度の南回帰線３を交差させて観察者が本体部１７の正面から、すなわち太陽の視点から見ると、当該交点が北半球の冬至点１８を示し、南半球の夏至点２０を示す。
この場合、冬至点１８と交わる南緯２３．４度の南回帰線３において太陽高度が９０度になることを示す。
さらに、地球儀８を自転させると公転軌道１０と南緯２３．４度の南回帰線３の交点で子午線６が交わるのを見ることができる。これが南中である。
この場合、同一子午線６上の各地点でその日の中で太陽高度が最も高くなったことを示す。
この場合、同一子午線６上では、太陽の高度が９０度になる地点を基準として緯度が高くなるほど南中の太陽高度が低くなることを示す。
さらに、昼夜区分環１１を観察者に正対させて、すなわち太陽の方向と正対させて、本体部１７を真横から見ると昼夜区分環１１により地球の地表が昼の部分と夜の部分に区分され、北半球では他の季節と比較して夜の時間の長さが最長となり、昼の時間の長さが最短になることを示す。また、南半球では他の季節と比較して夜の時間の長さが最長となり、昼の時間の長さが最短になることを示す。
さらに、地球儀８を自転させると昼夜区分環１１により日の出、日の入りを示すことができる。
ＩＩ「春分点」
これについては、［図２］により説明する。
本説明器の本体部１７の公転軌道１０と赤道１を交差させて観察者が本体部１７の正面から、すなわち太陽の視点から見ると、当該交点が北半球の春分点１９を示し、南半球の秋分点２１を示す。
この場合、春分点１９と交わる赤道１において太陽高度が９０度になることを示す。
さらに、地球儀８を自転させると公転軌道１０と赤道１が交わる地点で子午線６が交わるのを見ることができる。これが南中である。
この場合、同一子午線６上の各地点でその日の中で太陽高度が最も高くなったことを示す。
さらに、同一子午線６上で、太陽の高度が９０度になる地点を基準として、緯度が高くなるほど南中高度が低くなることを示す。
さらに、昼夜区分環１１を観察者に正対させて、すなわち太陽の方向と正対させて、本体部１７を真横から見ると昼夜区分環１１により地球の地表が昼の部分と夜の部分に区分され、北半球と南半球において昼の時間の長さと夜の時間の長さが等しいことを示す。
さらに、地球儀８を自転させると昼夜区分環１１により日の出、日の入りを示すことができる。
ＩＩＩ「夏至点」
これについては、［図３］により説明する。
本説明器の本体部１７の公転軌道１０と北緯２３．４度の北回帰線２を交差させて観察者が本体部１７の正面から、すなわち太陽の視点から見ると、当該交点が北半球の夏至点２０を示し、南半球の冬至点１８を示す。
この場合、夏至点２０と交わる北緯２３．４度の北回帰線２において太陽高度が９０度になることを示す。
さらに、地球儀８を自転させると公転軌道１０と北緯２３．４度の北回帰線２が交わる地点で子午線６が交わるのを見ることができる。これが南中である。
この場合、同一子午線６上の各地点でその日の中で太陽高度が最も高くなったことを示す。
さらに、同一子午線６上で、太陽の高度が９０度になる地点を基準として、緯度が高くなるほど南中高度が低くなることを示す。
さらに、昼夜区分環１１を観察者に正対させて、すなわち太陽の方向と正対させて、本体部１７を真横から見ると昼夜区分環１１により地球の地表が昼の部分と夜の部分に区分され、北半球では他の季節と比較して昼の時間の長さが最長となり、夜の時間の長さが最短になることを示す。また、南半球では他の季節と比較して夜の時間の長さが最長となり、昼の時間の長さが最短になることを示す。
さらに、地球儀８を自転させると昼夜区分環１１により日の出、日の入りを示すことができる。
ＩＶ「秋分点」
これについては、［図４］により説明する。
本説明器の本体部１７の公転軌道１０と赤道１を交差させて観察者が本体部１７の正面から、すなわち太陽の視点から見ると、当該交点が北半球の秋分点２１を示し、南半球の春分点１８を示す。
この場合、秋分点２１と交わる赤道１において太陽高度が９０度になることを示す。
さらに、地球儀８を自転させると公転軌道１０と北緯２３．４度の北回帰線２が交わる地点で子午線６が交わるのを見ることができる。これが南中である。
この場合、同一子午線６上の各地点でその日の中で太陽高度が最も高くなったことを示す。
さらに、同一子午線６上で、太陽の高度が９０度になる地点を基準として、緯度が高くなるほど南中高度が低くなることを示す。
さらに、昼夜区分環１１を観察者に正対させて、すなわち太陽の方向と正対させて、本体部１７を真横から見ると昼夜区分環１１により地球の地表が昼の部分と夜の部分に区分され、北半球と南半球において昼の時間の長さと夜の時間の長さが等しいことを示す。
さらに、地球儀８を自転させると昼夜区分環１１により日の出、日の入りを示すことができる。
【００１３】請求項２による本説明器の実施の形態について説明する。
これについては、［図５］、［図６］、［図７］、［図８］により説明する。
（構成と作成方法）請求項２による本説明器の構成と作成方法は以下のとおりである。
本説明器は地球儀８に代えて赤道１と北回帰線２と南回帰線３と緯線４と経線５，６を表示する地球を表す球体１４を使用する。
そして、この地球を表す球体１４を、地軸を表す棒軸１５により透明な中空の球体１６の内部に回転自在に同心配置する。
そして、本体部１７の地球の公転軌道１０は透明な中空の球体１６の外周部に地球儀８の赤道１の赤道面と傾斜角２３．４度で交わり、前記赤道１の赤道面と中心を同じくし、水平面と一致させて表示する。
そして、支持台１２が本体部１７を公転軌道１０の公転軌道面の中心を通る鉛直線方向に、地球儀８の表面を２等分して昼夜を区分して表示する昼夜区分環１１により回転自在に垂直に支持する。
地球を表す球体１４は塩ビ等の中空の半球を合わせて作成し、赤道１、北回帰線２、南回帰線３を強調して鮮明に表示する。この場合、地球を表す球体１４は、好ましくは塩ビ等の透明な材料を使用して作成し、地軸を表す棒軸１５が外部から透視できるようにする。
また、地軸を表す棒軸１５は地軸とその傾きを視覚化して示すために金属製の長ねじ等を使用してもよい。
公転軌道１０は、銅線等の金属線を中空の球体１６の外周部に取り付けて表示してもよい。
中空の球体１６は、塩ビ等の透明な中空の半球を合わせて作成する。
（作用）
作用については、請求項１による考案の実施の形態についての説明と同じである。
【００１４】請求項３による本説明器の実施の形態について説明する。
これについては、［図９］、［図１０］、［図１１］、［図１２］により説明する。
（構成と作成方法）請求項３による本説明器の構成と作成方法は以下のとおりである。
本説明器の地球儀８は赤道１と北回帰線２と南回帰線３と緯線４と経線５，６と世界地図７を表わす地表図を表示する既成の地球儀８を使用する。この場合、赤道１、北回帰線２、南回帰線３は既成の地球儀８に強調して鮮明に表示する。
また、地球儀８を支持する支持環９は、既成の地球儀８を支持する支持環９を使用する。
また、地球の公転軌道を表す環１０は、地球儀８を支持する支持環９に固定して取り付ける。
この場合、地球の公転軌道を表す環１０は、地球儀８を支持する支持環９に地球儀８の赤道１の赤道面と傾斜角２３．４度で交わり、赤道１の赤道面と中心を同じくし、水平面と一致させて表示する。
また、地球の公転軌道を表す環１０に冬至点１８、春分点１９、夏至点２０、秋分点２１と月日の日付等を表示してもよい。
また、本説明器の本体部１７は地球儀８を支持する支持環９を介して支持台１２に回転自在に取り付ける。
また、昼夜区分環１１は支持台１２に、好ましくは回転自在に取り付ける。
（作用）
作用については、請求項１による考案の実施の形態についての説明と同じである。
【００１５】請求項４による本説明器の実施の形態について説明する。
これについては、［図１３］により説明する。
（構成と作成方法）請求項４による本説明器の構成と作成方法は以下のとおりである。
本説明器の地球儀８は赤道１と北回帰線２と南回帰線３と緯線４と経線５，６と世界地図７を表わす地表図を表示する既成の地球儀８を使用する。この場合、赤道１、北回帰線２、南回帰線３は既成の地球儀８に強調して鮮明に表示する。
また、地球儀８を支持する支持環９は、既成の地球儀８を支持する支持環９を使用する。
また、地球の公転軌道を表す環１０は、地球儀８を支持する支持環９に固定して取り付ける。
この場合、地球の公転軌道を表す環１０は、地球儀８を支持する支持環９に地球儀８の赤道１の赤道面と傾斜角２３．４度で交わり、赤道１の赤道面と中心を同じくし、水平面と一致させて表示する。
また、地球の公転軌道を表す環１０に冬至点１８、春分点１９、夏至点２０、秋分点２１と月日の日付等を表示してもよい。
また、本説明器の本体部１７は地球儀８の北極と南極を反転可能に支持する支持具１３を介して支持台１２に回転自在に取り付ける。
また、昼夜区分環１１は支持台１２に、好ましくは回転自在に取り付ける。
（作用）
作用については、請求項１による考案の実施の形態についての説明と同じである。
【００１６】請求項５による本説明器の実施の形態について説明する。
これについては、［図１４］、［図１５］、［図１６］、［図１７］により説明する。
（構成と作成方法）請求項５による本説明器の構成と作成方法は以下のとおりである。
本説明器は赤道１と北回帰線２と南回帰線３と緯線４と経線５  を表示して地軸を表す棒軸１５を備える地球を表す球体１４を使用する。
公転軌道１０は地球を表す球体１４の外周部に赤道１の赤道面と傾斜角２３．４度で交わり、赤道１の赤道面と中心を同じくし、水平面と一致させて表示する。
そして、支持台１２が本体部１７を公転軌道１０の公転軌道面の中心を通る鉛直線方向に、支持軸２２により回転自在に垂直に支持する。
地球を表す球体１４は塩ビ等の中空の半球を合わせて作成し、赤道１、北回帰線２、南回帰線３を強調して鮮明に表示する。この場合、地球を表す球体１４は、好ましくは塩ビ等の透明な材料を使用して作成し、地軸を表す棒軸１５が外部から透視できるようにする。
また、地軸を表す棒軸１５は地軸とその傾きを視覚化して示すために金属製の長ねじ等を使用してもよい。
公転軌道１０は、銅線等の金属線を地球を表す球体１４の外周部に取り付けて表示してもよい。
（作用）
作用については、請求項１による考案の実施の形態についての説明と異なる事項について説明する。
本説明器において、北半球の冬至点１８における南中は、公転軌道１０と南緯２３．４度の南回帰線３の交点で任意の子午線・経線５が交わることにより示される。
また、北半球の春分点１９における南中は、公転軌道１０と赤道１の交点で任意の子午線・経線５が交わることにより示される。
また、北半球の夏至点２０における南中は、公転軌道１０と北緯２３．４度の北回帰線２の交点で任意の子午線・経線５が交わることにより示される。
また、北半球の秋分点２１における南中は、公転軌道１０と赤道１の交点で任意の子午線・経線５が交わることにより示される。
次に、本体部１７を真上から見ると昼夜区分環１１により地表が昼の部分と夜の部分に区分される。この場合、地球の自転により地表が夜の部分から昼の部分へ移るのが日の出であり、地表が昼の部分から夜の部分へ移るのが日の入りである。
【符号の説明】
【００１７】１赤道
２北回帰線
３南回帰線
４緯線
５子午線．経線
６東経１３５度の子午線．経線
７世界地図
８地球儀
９支持環
１０公転軌道を表す環又は公転軌道を表す円
１１昼夜区分環
１２支持台
１３北極と南極を反転可能に支持する支持具
１４地球を表す球体
１５地軸を表す棒軸
１６透明な中空の球体
１７本体部
１８冬至点
１９春分点
２０夏至点
２１秋分点
２２支持軸
【要約】      （修正有）【課題】地球儀の地球の自転運動を再現する機能に地球の公転運動を再現する機能を付加することにより、地球の公転による太陽高度の変化、昼夜の長さの変化等の諸現象と地球の自転による南中、日の出、日の入り等の諸現象を統一的に関連付けて説明する説明器を提供する。【解決手段】地球儀８の外周部に地球の公転軌道１０を表示することにより、地球儀８が有する地球の自転運動を再現する機能に地球の公転運動を再現する機能を付加して、地球の公転による太陽高度の変化、昼夜の長さの変化等の諸事象と地球の自転による南中、日の出、日の入り等の諸事象を統一的に関連付けて説明するものである。【選択図】図１【図１】
0005462383.tif 000003
【図２】
0005462383.tif 000004
【図３】
0005462383.tif 000005
【図４】
0005462383.tif 000006
【図５】
0005462383.tif 000007
【図６】
0005462383.tif 000008
【図７】
0005462383.tif 000009
【図８】
0005462383.tif 000010
【図９】
0005462383.tif 000011
【図１０】
0005462383.tif 000012
【図１１】
0005462383.tif 000013
【図１２】
0005462383.tif 000014
【図１３】
0005462383.tif 000015
【図１４】
0005462383.tif 000016
【図１５】
0005462383.tif 000017
【図１６】
0005462383.tif 000018
【図１７】
0005462383.tif 000019